(57)【要約】【課題】災害発生時にその機能を有効に利用することのできる画像形成装置を提供する。【解決手段】複合機１は、災害発生時に、通信部１１を介して他の通信装置へ被害状況を問い合わせるメッセージを送信し、このメッセージへの返信をさらに他の通信装置へ転送したり、表示部１４に被害状況を確認するメッセージを表示して、このメッセージへのユーザの入力内容を、他の通信装置に送信したりすることができる。【選択図】図１
2008236484.tif 000002
【特許請求の範囲】
【請求項１】
ネットワークを介して外部の通信装置との間で情報の送受信を行う通信部を備える画像形成装置であって、
上記通信部は、災害発生時に、被害状況についての情報を入力するようユーザに促すメッセージを上記ネットワーク上の或る通信装置へ送信して、上記メッセージに対してユーザが入力した上記情報を上記或る通信装置から受信すると共に、上記情報を上記ネットワーク上の他の通信装置に送信するようになっている画像形成装置。
【請求項２】
地震計又は温度計の少なくとも一方をさらに備え、
上記通信部は、上記地震計が地震の発生を検知したとき、又は温度センサが温度の異常な上昇を検知したときに、上記メッセージを送信するようになっている請求項１に記載の画像形成装置。
【請求項３】
外部から電力が供給される間は蓄電を行い、外部からの電力の供給が停止したときは、蓄電した電力を少なくとも上記通信部に供給するようになっている蓄電部をさらに備える請求１又は２に記載の画像形成装置。
【請求項４】
災害発生時に、被害状況についての情報を入力するようにユーザに促すメッセージを表示する表示部と、
上記メッセージに対してユーザが入力した上記情報を、ネットワークを介して外部の通信装置へ送信する通信部と、を備える画像形成装置。
【請求項５】
地震計又は温度計の少なくとも一方をさらに備え、
上記表示部は、上記地震計が地震の発生を検知したとき、又は温度センサが温度の異常な上昇を検知したときに、上記メッセージを表示するようになっている請求項４に記載の画像形成装置。
【請求項６】
外部から電力が供給される間は蓄電を行い、外部からの電力の供給が停止したときは、蓄電した電力を少なくとも上記通信部及び表示部に供給するようになっている蓄電部をさらに備える請求項４又は５に記載の画像形成装置。
【請求項７】
原稿に光を照射するための光源を備え、上記原稿からの反射光を検知することで上記原稿上の画像を読み取る読取部と、
上記光源からの光を利用して発電を行い、得られた電力を上記蓄電部へ送るようになっている光発電装置と、をさらに備える請求項３又は６に記載の画像形成装置。
【請求項８】
画像データに基づいて、用紙上に現像剤からなる画像を形成する画像形成部をさらに備え、
上記画像形成部は、熱圧着によって現像剤を用紙上に定着させる定着部を備え、
上記定着部からの熱を利用して発電を行い、得られた電力を上記蓄電部へ送るようになっている熱発電装置をさらに備える請求項３又は６に記載の画像形成装置
【請求項９】
ネットワークを介して外部の通信装置との間で情報の送受信を行う通信部を備える画像形成装置であって、
上記通信部は、請求項４に記載の画像形成装置から上記情報を受信すると共に、上記情報を上記ネットワーク上の他の通信装置に送信するようになっている画像形成装置。
【発明の詳細な説明】
【技術分野】
【０００１】
本発明は、災害時に被害状況についての情報の収集に寄与することのできる画像形成装置に関する。
【背景技術】
【０００２】
従来、画像形成装置として、機器への通電や定着部への通電を遮断し火災等の二次災害を防ぐものが提案されている。
【０００３】
例えば特許文献１には、地震等の災害発生時に送信される緊急警報放送を受信する緊急放送受信機を備え、この緊急放送受信機で緊急警報放送を受信したときに、定着部等への通電を停止するようになっている画像形成装置が記載されている。
【特許文献１】特開平１０−１４３０２９号公報（１９９８年５月２９日公開）
【発明の開示】
【発明が解決しようとする課題】
【０００４】
しかし、上記従来の技術では、災害発生時には画像形成装置の一切の機能が単に失われるに過ぎず、画像形成装置を有効に利用するには至っていなかった。
【０００５】
本発明は、上記従来の問題に鑑みたものであり、その目的は、災害発生時にその機能を有効に利用することのできる画像形成装置を提供する。
【課題を解決するための手段】
【０００６】
請求項１の画像形成装置は、ネットワークを介して外部の通信装置との間で情報の送受信を行う通信部を備える画像形成装置であって、上記通信部は、災害発生時に、被害状況についての情報を入力するようユーザに促すメッセージを上記ネットワーク上の或る通信装置へ送信して、上記メッセージに対してユーザが入力した上記情報を上記或る通信装置から受信すると共に、上記情報を上記ネットワーク上の他の通信装置に送信するようになっている。
【０００７】
上記画像形成装置は、このように、ネットワークを介して通信可能な外部の通信装置の周辺の被害状況についての情報を取得して、それを他の通信装置のユーザに知らせることができる。このように、或る通信装置の周辺の被害状況を他の通信装置のユーザに知らせることで、上記画像形成装置は、災害発生時に、自らの通信機能を有効に利用することができる。
【０００８】
請求項２に記載するように、請求項１の画像形成装置は、地震計又は温度計の少なくとも一方をさらに備え、上記通信部は、上記地震計が地震の発生を検知したとき、又は温度センサが温度の異常な上昇を検知したときに、上記メッセージを送信するようになっていてもよい。
【０００９】
上記画像形成装置は、自らが備える地震計又は温度計によって、地震又は火災等の災害による環境の異常な変化を自ら検知して、上記メッセージの送信を行うので、災害が発生した後、上記或る通信装置にすばやくメッセージを届けることができる。
【００１０】
請求項３に記載するように、請求項１又は２の画像形成装置は、外部から電力が供給される間は蓄電を行い、外部からの電力の供給が停止したときは、蓄電した電力を少なくとも上記通信部に供給するようになっている蓄電部をさらに備えてもよい。
【００１１】
上記画像形成装置は、蓄電部を備えることで、災害時に外部からの電力供給が停止しても、上記他の通信装置との情報の送受信を行うことができる。
【００１２】
請求項４の画像形成装置は、災害発生時に、被害状況についての情報を入力するようにユーザに促すメッセージを表示する表示部と、上記メッセージに対してユーザが入力した上記情報を、ネットワークを介して外部の通信装置へ送信する通信部と、を備える。
【００１３】
上記画像形成装置は、このように自らのユーザに入力を促すことで、自らの周囲における被害状況についての情報を取得し、さらにこれを外部の通信装置に送信することで、外部の通信装置のユーザに、自らの周囲の被害状況を知らせることができる。このように、上記画像形成装置は、災害発生時に自らの通信機能を有効に利用することができる。
【００１４】
請求項５に記載するように、請求項４の画像形成装置は、地震計又は温度計の少なくとも一方をさらに備え、上記表示部は、上記地震計が地震の発生を検知したとき、又は温度センサが温度の異常な上昇を検知したときに、上記メッセージを表示するようになっていてもよい。
【００１５】
上記画像形成装置は、自らが備える地震計又は温度計によって、地震又は火災等の災害による環境の異常な変化を自ら検知して、上記メッセージの表示を行うので、自らのユーザに、すばやく情報の入力を求めることができる。
【００１６】
請求項６に記載するように、請求項４又は５の画像形成装置は、外部から電力が供給される間は蓄電を行い、外部からの電力の供給が停止したときは、蓄電した電力を少なくとも上記通信部及び表示部に供給するようになっている蓄電部をさらに備えてもよい。
【００１７】
上記画像形成装置は、上記蓄電部を備えることで、災害時に外部からの電力供給が停止しても、上記メッセージの表示及び外部の通信装置への情報の送信を行うことができる。
【００１８】
請求項７に記載するように、請求項３又は６の画像形成装置は、原稿に光を照射するための光源を備え、上記原稿からの反射光を検知することで上記原稿上の画像を読み取る読取部と、上記光源からの光を利用して発電を行い、得られた電力を上記蓄電部へ送るようになっている光発電装置と、をさらに備えてもよい。
【００１９】
また、請求項８に記載するように、画像データに基づいて、用紙上に現像剤からなる画像を形成する画像形成部をさらに備え、請求項３又は６の画像形成装置は、上記画像形成部は、熱圧着によって現像剤を用紙上に定着させる定着部を備え、上記定着部からの熱を利用して発電を行い、得られた電力を上記蓄電部へ送るようになっている熱発電装置をさらに備えてもよい。
【００２０】
請求項９に記載するように、ネットワークを介して外部の通信装置との間で情報の送受信を行う通信部を備える画像形成装置であって、上記通信部は、請求項４に記載の画像形成装置から上記情報を受信すると共に、上記情報を上記ネットワーク上の他の通信装置に送信するようになっている画像形成装置も、本発明の技術的範囲に含まれる。
【発明の効果】
【００２１】
本発明の画像形成装置は、災害発生時に、通信部によって外部の通信装置との間で通信を行うことで、外部の通信装置の周囲の被害状況、又は自らの周囲の被害状況についての情報を、他の通信装置に送信することができる。このように、本発明の画像形成装置は、災害発生時であっても、自らの通信機能を活かして、情報の収集及びユーザへの情報の提供に寄与することができる。なお、このような画像形成装置と協働する画像形成装置も、本発明の技術的範囲に含まれる。
【発明を実施するための最良の形態】
【００２２】
本発明の画像形成装置の実施の一形態である複合機１について、以下、図面を参照して説明する。
【００２３】
Ｉ．第一形態
〔I-1〕複合機１の概要
図１は、複合機１の要部構成を示すブロック図である。
【００２４】
図１に示すように、複合機１は、ハードキー及び下記表示部１４で表示されるソフトキー等で構成される入力受付部１０、通信ネットワーク２００を介して、外部の通信装置（通信機能を備えるＰＣ（Personal Computer）、複合機等を含む）と通信を行う通信部１１、光学系を備えて原稿から画像を読み取る読取部１２、読取部１２又は通信部１１等が得た画像データを用紙上に印刷する画像形成部１３、液晶表示装置等を備え、ユーザに種々の画像を表示することで情報を提示する表示部１４、地震の発生を検知する地震計１５、複合機１外部の温度を検知する温度計１６、外部電源１００又は下記蓄電部１８から供給される電力を複合機１内各部に送る電力供給部１７、下記発電部１９の発電した電力を蓄電する蓄電部１８、複合機１内で光を利用して発電を行う発電部１９、複合機１内の各部を制御する制御装置２０、各種情報を記憶するメモリ３０等を備える。
【００２５】
地震計１５としては、加速度計又は震度計等が用いられる。
【００２６】
また、温度計１６は、複合機１の外部の温度を検知するものには限定されず、内部の温度を検知するようになっていてもよい。また、複合機１は、外部の温度を検知する温度計と内部の温度を検知する温度計を組み合わせて備えてもよい。
【００２７】
通信ネットワーク２００としては、特に限定されず、例えば、インターネット、イントラネット、エキストラネット、ＬＡＮ、ＩＳＤＮ、ＶＡＮ、電話回線網、移動体通信網、衛星通信網等が利用可能である。
【００２８】
制御装置２０は、通信部１１を制御する通信制御部２１、表示部１４を制御する表示制御部２２、地震計１５及び／又は温度計１６の検知結果に基づいて災害の発生の有無を判定する災害発生判定部２３等を備える。
【００２９】
制御装置２０は、後述する各種処理動作を実現するためのプログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記録媒体などを備えている。後述する処理動作は、上記記録媒体に格納されたソフトウェアである制御プログラムのプログラムコードをＣＰＵが読み出し実行することによって達成可能である。
【００３０】
〔I-2〕通信システム
図２に、本形態の通信システム２０１の概要を示す。図２に示すように、通信システム２０１は、複合機１、ＰＣ３００〜３０２、複合機４００・４０１等によって構成されている。
【００３１】
ＰＣ３００〜３０２は、表示部Ｄ、並びに、図示しない通信部、ハードキー及びソフトキー等の入力受付部を備える。
【００３２】
複合機４００・４０１は、上述の複合機１と略同様の構成であるが、地震計１５、温度計１６、災害発生判定部２３等を備える必要はない。
【００３３】
〔I-3〕情報収集動作
上記〔I-2〕で述べた通信システムにおいて、災害発生時に複合機１が行う処理動作、すなわち情報収集動作について、以下に説明する。図３に、この処理動作のフローチャートを示す。
【００３４】
災害発生判定部２３は、地震計１５又は温度計１６の検知結果を読み込んで、振動の大きさ又は温度が所定値を超えると（Ｓ１でＹｅｓ）、災害が発生したものと判断する。この判断を受けて、通信制御部２１は、ＰＣ３００・３０１及び複合機４００・４０１（以下、単に「ＰＣ３００等」と称することがある）に、ユーザに入力を促す状況確認メッセージを送るように、通信部１１を制御する（Ｓ２、図２の点線矢印）。
【００３５】
この状況確認メッセージを受けると、ＰＣ３００等は、その表示部によって、ユーザに状況確認画面４０を提示する。状況確認画面４０は、災害による被害状況についての情報を入力するよう、ユーザに促す画面である。状況確認画面４０の一例を図４に示す。
【００３６】
図４に示すように、本実施形態において、状況確認画面４０は、メッセージ領域４０ａと送信キー４０ｂとを備える。メッセージ領域４０ａには、“現在の状況について入力し、送信キーを押して下さい”のような、ユーザに入力を促すメッセージと共に、ユーザに入力させたい項目、例えば被害の有無及び具体的な被害状況等についての質問が表示される。
【００３７】
ＰＣ３００等は、それらの図示しない入力受付部を介して、ユーザから被害状況についての情報を受け付け、さらに送信キー４０ｂが押下されると、複合機１へ、この受け付けた情報を送信する（図２の実線矢印）。
【００３８】
複合機１がこの情報を受信すると、通信制御部２１は、所定の通信装置、すなわち本形態の場合はＰＣ３０２に、この情報を転送するように通信部１１を制御する（Ｓ４、図２の中抜き矢印）。なお、制御装置２０は、ステップＳ３からＳ４に進む前に、返信メッセージをメモリ３０に一旦保存したり、適宜編集等を行ったりすることができる。
【００３９】
複合機１からこの情報を受信すると、ＰＣ３０２は、この情報をユーザに視認させるための報知画面４１を、表示部Ｄにて表示する。報知画面４１の一例を図５に示す。
【００４０】
報知画面４１は、例えば、図５に示すように、状況確認画面４０へのＰＣ３００等の各ユーザの書き込みが、状況確認画面４０に付加されたものであってもよいし、これらの通信装置からの情報がまとめられた一覧表であってもよい。
【００４１】
一方、入力受付部１０が、収集動作を終了するようにとの指示をユーザから受け付けたときは、制御装置２０は、一連の動作を中断及び終了する（Ｓ５でＹｅｓ）。
【００４２】
複合機１は、このように、或る通信装置のユーザからその通信装置の周辺の被害状況についての情報を得て、他の通信装置にその情報を伝えることで、この他の通信装置のユーザに、上記或る通信装置のユーザの安否を知らせることができる。
【００４３】
本形態では、複合機１は、被害状況についての情報を入力するようユーザに促すメッセージとして、具体的な被害状況を問うメッセージを各通信装置に送信するものとしたが、複合機１は、このような具体的な問いではなく、ユーザに単なる入力を促すようなメッセージを送信するようになっていてもよい。例えば、ユーザにユーザ認証のパスワードを入力させるようなメッセージを送り、パスワードが入力されたことを確認することでも、ユーザの安否を確認することができる。
【００４４】
また、「メッセージ」とは、電子メールであってもよいし、他の通信装置にポップアップ表示等を行わせるものであってもよい。
【００４５】
すなわち、複合機１は、ＰＣ３００にメッセージを送信することで、図６に示すように、ＰＣ３００の表示部３００Ｄに、“パスワードを入力して下さい”とのポップアップ表示４３を行わせるようになっていてもよい。
【００４６】
また、本実施形態では、複合機１は、ＰＣ３００等から受け取った情報を、全てＰＣ３０２に送るものとしたが、本発明はこれに限定されない。すなわち、複合機１は、異なる通信装置から得た被害状況の情報を、それぞれ別々の通信装置に送るようになっていてもよい。
【００４７】
具体的には、複合機１は、メモリ３０に、各通信装置（ＰＣ３００等）のユーザの緊急連絡先、例えば自宅等、をそれぞれ記憶しておくことができる。この場合の通信システムの具体的な形態を、通信システム２０２として、図７に示す。通信システム２０２において、複合機１の通信制御部２１は、ＰＣ３００及び複合機４００から受け取った被害状況についての情報を、この緊急連絡先であるＰＣ３０２に、ＰＣ３０１から受け取った情報をＰＣ３０３に、複合機４０１から受け取った情報を複合機４０２に送信するようになっていてもよい。緊急連絡先に各通信装置のユーザの自宅が設定されていれば、各ユーザの家族の不安を取り除くことが可能となる。
【００４８】
一方、会社内で、事業所等の拠点の被害状況を一括して把握したい場合など、通信システム２０１のように、各通信装置（ＰＣ３００等）からの情報を、１つのＰＣ３０２に送ることが好ましい場合もある。
【００４９】
なお、本実施形態では、複合機１は、地震計１５又は温度計１６の検知結果に基づいて、じょう収集動作を開始するものとしたが、本発明はこれに限定されない。例えば、複合機１は、地震計１５又は温度計１６のどちらか一方のみを備え、この一方の検知結果に基づいて、災害判定部２３が災害の発生の有無を判定するようになっていてもよい。また、複合機１は、地震計１５及び温度計１６を備えない構成であり、通信部１１が災害発生の情報を受信したときに、一連の情報収集動作を実行するようになっていてもよい。
【００５０】
〔I-4〕電力供給部１７
電力供給部１７は、通常は外部電源１００からの電力供給が停止したとき、電力供給部１７は、電源を外部電源１００から蓄電部１８に切り換えることができる。このとき、蓄電部１８からの電力は、通信部１１及び制御装置２０に送られ、読取部１２及び画像形成部１３等への電力供給は停止される。つまり、電力供給部１７は、電源を切り換えると共に、省電力モードに移行する。こうすることで、電力供給部１７は、通信に必要な電力を確保することができるので、地震等で商用電減の供給が停止したときでも、通信を可能とすることができる。
【００５１】
特に、複合機１は、外部電源１００からの電力供給が停止しても、上述の情報収集動作を行うことができ、また、通信部１１を介して、電力供給会社へ電力供給が停止したことを通報することもできる。
【００５２】
また、電力供給部１７は、災害発生判定部２３の災害が発生したとの判断を受けて、外部電源１００からの電力供給が正常であっても、読取部１２及び画像形成部１３等への電力供給を停止して、省電力モードに移行するようになっている。
【００５３】
〔I-5〕発電部１９
ａ）光からの発電
本実施形態において、発電部１９は、複合機１内の光エネルギーを電気エネルギーに変換するものである。
【００５４】
光から発電を行う場合、発電部１９は、読取部１２の光源を利用することができる。読取部１２の要部構成を図８に示す。
【００５５】
図２に示すように、読取部１２は、光源１２ａと、ミラー１２ｂ、ＣＣＤ１２ｃ等を備える。読取部１２は、複合機１の備えるコンタクトガラス３１上の原稿Ｍに光源１２ａからの光を照射し、その反射光をミラー１２ｂ等によってＣＣＤ１２ｃに導いて、原稿Ｍ上の画像を読み取るようになっている。
【００５６】
光から発電を行う場合、発電部１９は、例えば、半導体ｐ-ｎ接合によって構成された所謂フォトダイオード等の光電変換素子を備え、光エネルギーを電気エネルギーに変換する。
【００５７】
光源１２ａから出射された光は、全てが原稿Ｍに吸収されたりＣＣＤ１２ｃで受光されたりするわけではなく、コンタクトガラス３１等での乱反射などによって、一部は上述した光路を外れる。発電部１９は、このように光路から外れた光を電気に変換して、上記蓄電部１８に送る。
【００５８】
ｂ）熱からの発電
複合機１は、発電部１９に代えて、熱から発電を行う発電器１１９を備えてもよい。この場合、画像形成部１３の熱が好適に利用される。画像形成部１３の要部構成を図９に示す。
【００５９】
画像形成部１３は、回転可能に設けられた感光体ドラム１３ａの回転方向に沿って、感光体ドラム１３ａを一様に帯電させる帯電器１３ｂ、帯電した感光体ドラム１３ａ表面に光を照射することで、画像データに応じた静電潜像を描く露光器１３ｃ、静電潜像を現像剤で現像する現像器１３ｄ、現像された画像を用紙Ｐ上に転写する転写部１３ｅ等を備える。感光体ドラム１３ａのクリーニング装置等、他の部材については図示を省略する。
【００６０】
画像形成部１３は、さらに、用紙Ｐを収容する用紙収容部１３ｆ、及び用紙収容部１３ｆから転写部１３ｅ、さらに後述の定着部１３ｈへと用紙を送る用紙搬送部１３ｇ、ヒートローラを備え、画像を転写された後の用紙Ｐに、熱圧着によって画像を定着させる定着部１３ｈ等を備える。
【００６１】
熱から発電を行う場合、発電器１１９は、定着部１３ｈを熱源として利用することができる。発電機１１９は、高温側（定着部１３ｈに近い側）が高電位になるｎ型熱電材料１１９ｎと逆に高温側が低電位になるｐ型熱電材料１１９ｐとを交互に接続した発電モジュールである。
【００６２】
ｃ）発電部１９の省略
また、発電部１９は、省略することもできる。この場合、蓄電部１８は、通常時に、外部電源１００からの電力の一部を電力供給部１７から直接受け取り、蓄電するようになっていればよい。
【００６３】
ＩＩ．第二形態
本形態の通信システム２０３を図１０に示す。図１０に示すように、通信システム２０３は、複合機５００〜５０２、これらの複合機が通信可能な複合機４０３、複合機４０３が通信可能な複合機４０２及びＰＣ３０２・３０３等によって構成されている。
【００６４】
各複合機及びＰＣは、上記第一形態で示されたＰＣ及び複合機と同様、通信部、表示部、及び入力受付部等を備える。よって、本形態において、以下、第一形態と同一の図面を参照して説明する場合があり、第一形態において既に説明した部材と同様の機能を有する部材については、適宜その説明を省略する。
【００６５】
特に、複合機５００〜５０２は、複合機１と同様、図１に示す部材を備えるものとする。
【００６６】
本形態において、複合機５００〜５０２（以下、単に「複合機５００等」と称することがある）は、図１１のフローチャートに示す情報送信動作を行う。
【００６７】
この情報送信動作において、複合機５００等は、災害発生判定部２３が振動の大きさ又は温度が所定値を超えたことを検知すると（Ｓ２１でＹｅｓ）、表示制御部２２が、表示部１４に、状況確認画面４０を表示させるようになっている（Ｓ２２、図４）。ユーザが状況確認画面４０に応じて入力を行い、送信キー４０ｂを押下すると（Ｓ２３でＹｅｓ）、通信制御部２１は、所定の通信装置（本形態では複合機４０３）に、ユーザが入力した被害状況についての情報を送信するよう、通信部１１を制御する（Ｓ２４、図１０の実線矢印）。一方、入力受付部１０を介して、情報送信動作の終了がユーザから指示されると、複合機５００等は一連の動作を中断及び終了する（Ｓ２５）。
【００６８】
複合機４０３は、上述したように、複合機１と略同様の構成、すなわち、制御装置２０及び通信部１１等を備えている。但し、地震計１５、温度計１６、災害発生判定部２３は備える必要がない。複合機４０３は、複合機５００からの被害状況についての情報をＰＣ３０２に、複合機５０１からの情報をＰＣ３０３に、複合機５０２からの情報を複合機４０２に、それぞれ送信する（図１０の中抜き矢印）。ＰＣ３０２・３０３、及び複合機４０２は、この情報を受けると、図５に示す報知画面４１を表示して、自らのユーザに、複合機５００、５０１、５０２の周囲の被害状況を、それぞれ知らせる。
【００６９】
なお、本形態において、複合機５００等の電力供給部１７は、ステップＳ２１でＹｅｓとなると、上記〔I-4〕欄で述べた様に省電力モードに移行するが、この際、表示部１４への電力供給は停止せずに維持するようになっている。
【００７０】
このように、本形態では、複合機５００等が、自発的に被害状況についての情報をユーザから得て、複合機４０３に送信する。そして、複合機４０３は、第一形態における複合機１と略同様の役割を担い、他の通信装置（ＰＣ３０２、３０３、複合機４０２）に、複合機５００等から受信した情報を送信する。
【００７１】
なお、複合機４０３が情報を送る先（ＰＣ３０２・３０３、複合機４０２）は、上記〔1-3〕で複合機１について述べたように、複合機５００等について、それぞれ登録された緊急連絡先である。
【００７２】
複合機４０３は、以上に述べた構成以外にも、複合機５００等から送信された情報を、同一の通信装置、例えばＰＣ３０２に送信するようになっていてもよい。
【００７３】
また、複合機４０３は、自らがその表示部を介して、ユーザに情報を提示するようになっていてもよい。また、複合機５００等が、自らユーザから得た情報を、複合機４０３を介さずに、直接ＰＣ３０２等に送信するようになっていてもよい。
【００７４】
本形態は、複合機５００等の近辺でのみ災害が発生した場合、つまり、複合機４０２・４０３、複合機３０２・３０３等の周辺では災害が発生していないような場合に、特に効果を発揮する。このような場合は、他の通信装置のユーザの安否等を確認するよりも、複合機１自身のユーザの安否等を、他の通信装置に知らせる方が有効であるからである。
【００７５】
ＩＩＩ．その他
上記Ｉ．及びＩＩ．欄に記載した形態を組み合わせた実施形態についても、本発明の技術的範囲に含まれる。
【００７６】
すなわち、図２の通信システム２０１において、複合機１は、上記ＩＩ．欄で述べたように、表示部１４に状況確認画面４０を表示して自ら周囲の被害状況についての情報を得ると共に、上記Ｉ．欄で述べたように、ＰＣ３００等からも、被害状況についての情報を得るようになっていてもよい。
【００７７】
この場合、複合機１は、自らの周囲の情報、及びＰＣ３００等からの情報を、ＰＣ３０２に送信するようになっていればよい。
【００７８】
また、複合機１は、図６の通信システム２０２のように、自らの周囲の情報、及びＰＣ３００等からの情報を、別々の通信装置に送信してもよい。
【００７９】
なお、Ｉ．〜ＩＩＩ．欄の技術において、全ての複合機は、蓄電部１８等を備える緊急用の電源システムを備えていてもよい。
【図面の簡単な説明】
【００８０】
【図１】本発明の実施の一形態に係る複合機１の要部構成を示すブロック図。
【図２】通信システムの一例の概略を表す図。
【図３】災害発生時の情報収集動作のフローチャート。
【図４】状況確認画面の一例を示す平面図。
【図５】報知画面の一例を示す平面図。
【図６】状況確認のためのポップアップ表示中のＰＣを示す正面図。
【図７】通信システムの他の例を示す図。
【図８】読取部１２の要部構成を示す正面図。
【図９】画像形成部１３の要部構成を示す正面図。
【図１０】通信システムのさらに他の例を示す図面。
【図１１】情報送信動作の一例を示すフローチャート。
【符号の説明】
【００８１】
１、４００〜４０３、５００〜５０２    複合機
３００〜３０３    複合機
２００    通信ネットワーク
２０１〜２０３  通信システム
１０      入力受付部
１１      通信部
１２      読取部
１３      画像形成部
１４      表示部
１５      地震計
１６      温度計
１７      電力供給部
１８      蓄電部
１９      発電部
２０      制御装置
２１      通信制御部
２２      表示制御部
２３      災害発生判定部
３０      メモリ
４０      状況確認画面
４１      報知画面
【図１】
2008236484.tif 000003
【図２】
2008236484.tif 000004
【図３】
2008236484.tif 000005
【図４】
2008236484.tif 000006
【図５】
2008236484.tif 000007
【図６】
2008236484.tif 000008
【図７】
2008236484.tif 000009
【図８】
2008236484.tif 000010
【図９】
2008236484.tif 000011
【図１０】
2008236484.tif 000012
【図１１】
2008236484.tif 000013